(57)【要約】【課題】周囲環境に応じた視認性を確保できる防眩性フィルム及び表示装置を提供すること。【解決手段】表示装置２のディスプレイ４上に貼り付けられている粘着テープ３上に、防眩性フィルム１のハードコート層１４が下側、防眩層１０が表面側になるようにして、防眩性フィルム１を貼り付ける。この状態で、防眩層１０が、ディスプレイ４の表面側になるために、外光の反射を防止又は低減できる。また、防眩性フィルム１を表示装置２のディスプレイ４から剥がし、裏返して、表示装置２のディスプレイ４側に、防眩層１０が対向し、表面側（上側）にハードコート層１４が向くように防眩性フィルム１を貼り付ける。この状態で、平面上のハードコート層１４が、ディスプレイ４の表面側（上側）になるために、クリアに高い視認性を確保してディスプレイ４を視認することができる。【選択図】図３
2011113061.tif 000002
【特許請求の範囲】
【請求項１】
光透過性を有する板状の基材と、
当該基材の一面側に設けられた防眩層と、
当該防眩層の表面に設けられた第一ハードコート層と、
当該基材の前記一面側と反対側の面に設けられた第二ハードコート層と
を備えたことを特徴とする防眩性フィルム。
【請求項２】
請求項１に記載の防眩性フィルムと、
前記防眩性フィルムを表示装置の表面に固定する両面粘着テープと
を備え、
前記両面粘着テープは、前記表示装置側の粘着面の粘着力よりも、前記防眩性フィルム側の粘着面の粘着力が小さく、前記防眩性フィルムを前記両面粘着テープから剥がして裏返して貼り付け可能であることを特徴とする表示装置。
【発明の詳細な説明】
【技術分野】
【０００１】
本発明は、防眩性フィルム及び表示装置に関する。詳細には、電気泳動型表示体や液晶ディスプレイの等の表示装置の表示面に設けられる防眩性フィルム及び当該防眩性フィルムを備えた表示装置に関する。
【背景技術】
【０００２】
従来、電気泳動型表示体や液晶ディスプレイ等を備えた表示装置が知られている。これらの表示装置では、屋外等の光が当たる場所での使用もされるため、光の写り込み防止のための防眩性フィルムが設けられている。従来の防眩性フィルムでは、基材の表面に防眩層を有している。この防眩層は、不定形のシリカや樹脂ビーズからなる微粒子を含む樹脂で構成され、この微粒子を防眩層の表面から突出させることにより、表面に微細凹凸形状が形成されている。この防眩性フィルムは、微粒子、樹脂、溶剤などを含有する塗料を基材上に塗工し、この塗料を乾燥させることにより形成される。
【０００３】
このように、微粒子を添加した塗料を基材に塗布する手法は安価で生産性が良いため、広く採用されている製法である。しかし、この防眩性フィルムは防眩性はあるものの、一個一個の微粒子の突起形状によって表面に凹凸を形成しているので、これら微粒子の突起によって曇価（ヘイズ値）が上昇して画像が白っぽくなり、コントラストが低下し、また画像鮮明度も低下してしまうという問題を抱えている。この問題を解決するために特許文献１に記載の防眩性フィルムが提案されている。この防眩性フィルムは、基材上に防眩層を備え、この防眩層は、樹脂と、溶剤と、微粒子とを含む塗料を基材上に塗工し、上記基材上に塗工された上記塗料を乾燥する。この乾燥時に、溶剤の揮発時に発生する対流により塗工層表面にベナードセル構造を形成し、上記ベナードセル構造の形成された上記塗料に含まれる樹脂を硬化することにより、上記微粒子の平均粒径以上、上記微粒子の平均粒径の３倍以下の膜厚に形成している。
【０００４】
また、高分子フィルムからなる基材の表面に防眩性を有する機能性透明層を設け、前記基材の裏面側に透明粘着層を有する防眩性フィルムが提案されている（例えば、特許文献２）。
【先行技術文献】
【特許文献】
【０００５】
【特許文献１】特許第４２３８９３６号公報
【特許文献２】特許第３８３４４７９号公報
【発明の概要】
【発明が解決しようとする課題】
【０００６】
しかしながら、特許文献１に記載の防眩性フィルムでは、防眩層は光の写り込みを抑えることができるが、表示はぼけて、視認性に劣るという問題点があった。また、特許文献２記載の防眩性フィルムでは、防眩層を上側にして、粘着テープで表示装置のディスプレイに貼り付けているものを剥がして、裏返して、透明粘着層を表面側（上面側）にしようとすると、透明粘着層と防眩性フィルムとがきれいに剥がれないので、繰り返し利用できないという問題点があった。また、機能性透明層の表面にハードコートが無いので、裏返して貼った時に透明粘着層と機能性透明層(防眩層)がくっついてしまい、防眩層の微粒子が透明粘着層にくっついてしまうという問題点があった。さらに、防眩性フィルムを繰り返して使うと微粒子が取れてしまい、防眩性の機能が低下するという問題点があった。
【０００７】
本発明は、上記問題点を解決するためになされたものであり、光の写り込みが有る場合には防眩性を発揮させ、光の写り込みが無く、クリアに視認性を確保したい時にぼけずにクリアに表示でき、周囲環境に応じた視認性を確保できる防眩性フィルム及び表示装置を提供することを目的とする。また、繰り返しの使用にも耐える防眩性フィルム及び表示装置を提供することを目的とする。
【課題を解決するための手段】
【０００８】
本発明の第一の態様にかかる防眩性フィルムは、光透過性を有する板状の基材と、当該基材の一面側に設けられた防眩層と、当該防眩層の表面に設けられた第一ハードコート層と、当該基材の前記一面側と反対側の面に設けられた第二ハードコート層とを備えている。
【０００９】
第一の態様にかかる防眩性フィルムでは、表示装置の表面からはがして反転して貼り付けることにより、防眩性を優先する表示と、クリアな視認性を優先する表示とを実現できる。また、当該防眩層の表面に設けられた第一ハードコート層と、当該基材の前記一面側と反対側の面に設けられた第二ハードコート層とを備えているので、繰り返しの使用にも十分耐えることができる。
【００１０】
本発明の第二の態様にかかる表示装置は、第一の態様にかかる防眩性フィルムと、前記防眩性フィルムを表示装置の表面に固定する両面粘着テープとを備え、前記両面粘着テープは、前記表示装置側の粘着面の粘着力よりも、前記防眩性フィルム側の粘着面の粘着力が小さく、前記防眩性フィルムを前記両面粘着テープから剥がして裏返して貼り付け可能であることを特徴とする。
【００１１】
第二の態様にかかる表示装置では、両面粘着テープは、表示装置側の粘着面の粘着力よりも、防眩性フィルム側の粘着面の粘着力が小さいので、前記防眩性フィルムを前記両面粘着テープから剥がした場合に、両面粘着テープは、表示装置側に残る。従って、防眩性フィルムには両面粘着テープが付着していないので、当該防眩性フィルムを裏返して貼り付け可能である。
【図面の簡単な説明】
【００１２】
【図１】防眩性フィルム１の構成を示す縦断面図である。
【図２】粘着テープ３の縦断面図である。
【図３】防眩性フィルム１の防眩性を発揮させるようにした状態の表示装置２の構成を示す縦断面図である。
【図４】防眩性フィルム１の視認性を高めるようにした状態の表示装置２の構成を示す縦断面図である。
【発明を実施するための形態】
【００１３】
以下、本発明に係る防眩性フィルム１および防眩性フィルム１を備えた表示装置２について、図面を参照して説明する。なおこれらの図面は、本発明が採用しうる技術的特徴を説明するために用いられるものであり、記載されている防眩性フィルム１及び表示装置２の構成は、それのみに限定する趣旨ではなく、単なる説明例である。尚、図１乃至図４の防眩層１０の凹凸は、説明の理解のためにデフォルメして描いたものであり、実際には、微小な凹凸である。
【００１４】
図１を参照し、防眩性フィルム１の概要について説明する。防眩性フィルム１は、電気泳動型表示体や液晶ディスプレイ等の表示画面の表面に貼り付けられて用いられる防眩用のフィルムである。図１に示すように、防眩性フィルム１は、透明の高分子のフィルムからなる基材１１と、当該基材１１の表面側（図１に於ける上面側）に設けられた防眩層１０と、当該基材１１の裏面側に設けられたハードコート層１４とから構成されている。
【００１５】
基材１１は、透明の高分子のフィルムで有れば、各種のプラスチックのフィルムを用いることができる。一例としては、ポリエチレンテレフタレートやポリカーボネート等を用いることができる。また、基材１１の厚みとしては、一例として、０．１ｍｍ程度のものを用いる。また、防眩層１０は、光を拡散させるための直径２〜３μｍ程度の合成樹脂の微粒子のビーズ１２を基材１１上に透明の接着剤を用いて付着させ、その表面にハードコート層１３を形成している。尚、基材１１の厚みやビーズ１２の直径は、必要に応じて適宜決定すれば良い。
【００１６】
ハードコート層１３及びハードコート層１４の厚みは、各々、一例として、１〜２μｍ程度であり、材質は、一例として、シリコン、又はアクリル、又はメラミン系の樹脂を用いれば良い。
【００１７】
上記構成を有する防眩性フィルム１では、図１に示す上面側は、表面で光を拡散するので、光の映り込みを抑えて防眩性を発揮する。また、図１に示す裏面側（下面側）は、平らであり、その表面に一定の厚みのハードコート層１４があるので、表面で光を拡散せずに表示をぼけさせずにクリアで高い視認性が実現できる。
【００１８】
次に、図２を参照して、上記構成を有する防眩性フィルム１を電気泳動型表示体や液晶ディスプレイ等の表示画面の表面に貼り付ける粘着テープ３の構造について説明する。図２に示すように、粘着テープ３は両面粘着テープである。この粘着テープ３は、その表面側（図２における上面側）が弱粘着面３１となっており、裏面側（図２における下面側）が強粘着面３２となっている片面弱粘着テープである。一例として、粘着テープ３は、ポリエチレンテレフタレートを基材とし、その表面にアクリル系又はシリコン系の粘着材を塗布したものである。また、一例として、粘着テープ３の厚みは２５μｍ程度であり、弱粘着面３１の粘着力は、０．１Ｎ／２５ｍｍであり、強粘着面３２の粘着力は、５Ｎ／２５ｍｍである。
【００１９】
上記構成を有する粘着テープ３は、図３に示す表示装置２のディスプレイ４の表面に防眩性フィルム１を貼り付ける場合に用いるものであり、粘着テープ３の強粘着面３２がディスプレイ４の表面に貼り付けられ、粘着テープ３の弱粘着面３１が防眩性フィルム１の裏面に貼り付けられる。従って、粘着テープ３は、防眩性フィルム１をディスプレイ４の表面に貼り付けるが、防眩性フィルム１を剥がす場合に、粘着テープ３は、ディスプレイ４からは剥がれず、防眩性フィルム１は、粘着テープ３から剥がれるようになっている。従って、粘着テープ３の弱粘着面３１と強粘着面３２との粘着力の差も、この特性が担保できる程度の差があれば良い。
【００２０】
次に、図３及び図４を参照して、防眩性フィルム１を表示装置２のディスプレイ４に貼り付けて使用する場合について説明する。先ず、図３を参照して、外光の影響を防止する防眩性をディスプレイ４に持たせる場合を説明する。表示装置２のディスプレイ４は一例として、電気泳動型表示体や液晶ディスプレイ等を用いることができる。特に、電気泳動型表示体等の反射型ディスプレイは、液晶ディスプレイと比べて外光の影響を受けやすく、また、電気泳動型表示体はサイズも大きいものも多いため、防眩性フィルム１による外光の反射の防止は重要である。この場合には、ディスプレイ４上に強粘着面３２を下にして貼り付けられている粘着テープ３上に、防眩性フィルム１のハードコート層１４が下側、防眩層１０が表面側（上側）になるようにして、防眩性フィルム１を貼り付ける。この状態で、防眩層１０が、表示装置２のディスプレイ４の表面側（上側）になるために、外光の反射を防止又は低減できる。
【００２１】
また、表示装置２を室内で使用する場合には、外光の反射の防止よりも画面をクリアに高い視認性を確保して見たい場合もある。この場合には、防眩性フィルム１を表示装置２のディスプレイ４から剥がし、裏返して、図４に示すように、表示装置２のディスプレイ４側に、防眩層１０が対向し、表面側（上側）にハードコート層１４が向くように防眩性フィルム１を粘着テープ３によりディスプレイ４上に貼り付ける。この状態で、平面状のハードコート層１４が、ディスプレイ４の表面側（上側）になるために、クリアに高い視認性を確保してディスプレイ４を視認することができる。尚、粘着テープ３は、強粘着面３２がディスプレイ４に貼り付いているので、防眩性フィルム１を剥がす場合に、粘着テープ３がディスプレイ４から剥がれることがない。また、粘着テープ３の防眩性フィルム１側は弱粘着面３１となっているので、防眩性フィルム１を容易に剥がすことが出来る。
【００２２】
以上説明したように、本実施の形態の防眩性フィルム１及び防眩性フィルム１を備えた表示装置２では、状況に合わせて表示装置２のディスプレイ４に防眩性を持たせたり、クリアで高い視認性を持たせたりすることができる。
【００２３】
なお、本発明は上記実施の形態に限定されるものではなく、種々の変更が可能である。例えば、ディスプレイ４は、電気泳動型表示体や液晶ディスプレイに限られず、プラズマディスプレイやブラウン管等でも良い。
【符号の説明】
【００２４】
１ 防眩性フィルム
２ 表示装置
３ 粘着テープ（両面粘着テープ）
４ ディスプレイ
１０ 防眩層
１１ 基材
１２ ビーズ
１３ ハードコート層（第一ハードコート層）
１４ ハードコート層（第二ハードコート層）
３１ 弱粘着面
３２ 強粘着面
【図１】
2011113061.tif 000003
【図２】
2011113061.tif 000004
【図３】
2011113061.tif 000005
【図４】
2011113061.tif 000006